(57)【要約】  方法において、無線ネットワークのユーザ機器からの参照信号間の干渉は、無線ネットワークのノードから受信された時間シフト値を使用することにより、低減することができる。干渉ランダム化技術は、参照信号に適用することができ、シーケンスは、干渉ランダム化技術が適用された参照信号に基づき生成することができる。処理された参照信号は、時間シフト値に基づき時間シフトをシーケンスに適用することにより、得ることができる。処理された参照信号は、ノードに送信することができる。関連システム、方法、ノードおよび無線デバイスについてもまた記載される。【選択図】  図１
2015525023.tif 000002
【特許請求の範囲】
【請求項１】
無線ネットワークのユーザ機器（２０４）からの参照信号間の干渉を低減する方法であって、前記方法は、
前記無線ネットワークのノード（２０１）から時間シフト値を受信すること（５０２）、
参照信号に干渉ランダム化技術を適用すること（５０３）、
前記干渉ランダム化技術が適用された前記参照信号に基づきシーケンスを生成すること（５０４）、
処理された参照信号を得るために、前記シーケンスに、前記時間シフト値に基づき時間シフトを適用すること（５０５）、および
前記ノード（２０１）に前記処理された参照信号を送信すること（５０６）
を含む方法。
【請求項２】
前記時間シフト値に基づき前記時間シフトを適用することは、
前記ユーザ機器（２０４）および前記時間シフト値により使用されるサービングセルと関連付けられたスロットインデックスに基づき、シフトされたスロットインデックスを決定すること（６０１）、ならびに
前記シフトされたスロットインデックスにより前記参照信号に基づき生成される前記シーケンスにインデックス付与すること（６０２）
を含む、請求項１に記載の方法。
【請求項３】
前記時間シフト値に基づき前記時間シフトを適用することは、
前記ユーザ機器（２０４）のサービングセルのための仮想セル識別子（ＶＣＩＤ）を、前記ユーザ機器（２０４）の前記サービングセルのための物理セル識別子（ＰＣＩＤ）と比較すること（６０３）、および
前記ＶＣＩＤが前記ＰＣＩＤと異なるとの決定に応答して、前記ネットワークノード（２０１）から受信される前記時間シフト値に、前記参照信号と関連付けられた前記時間シフトを選択的に設定すること（６０４）
を含む、請求項１に記載の方法。
【請求項４】
前記時間シフト値は、無線リソース制御（ＲＲＣ）シグナリングにより、前記ユーザ機器（２０４）で受信される、請求項１に記載の方法。
【請求項５】
前記参照信号は、物理アップリンク共有チャネル（ＰＵＳＣＨ）復調用参照信号（ＤＭＲＳ）、物理アップリンク制御チャネル（ＰＵＣＣＨ）ＤＭＲＳ、および／またはサウンディング参照信号（ＳＲＳ）を含む、請求項１に記載の方法。
【請求項６】
前記干渉ランダム化技術は、巡回シフトホッピング（ＣＳＨ）またはシーケンスグループホッピング（ＳＧＨ）を含む、請求項１に記載の方法。
【請求項７】
前記処理された参照信号は、アップリンクデータまたは制御チャネル上で送信される、請求項１に記載の方法。
【請求項８】
ノード（２０１）へのアップリンク上で送信し、前記ノード（２０１）からのダウンリンク上で受信するように構成されるトランシーバー（３０２）、ならびに
前記トランシーバーを介して、前記ネットワークノード（２０１）から時間シフト値を受信すること（５０２）、
参照信号に干渉ランダム化技術を適用すること（５０３）、
前記干渉ランダム化技術が適用された前記参照信号に基づきシーケンスを生成すること（５０４）、および
処理された参照信号を得るために、前記シーケンスに、前記時間シフト値に基づき時間シフトを適用すること（５０５）、
を含む動作を実行するように構成されるプロセッサ（３０３）
を備え、
前記トランシーバー（３０２）は、前記処理された参照信号を送信する（５０６）ようにさらに構成される、ユーザ機器（３０１）。
【請求項９】
前記シーケンスに、前記参照信号と関連付けられた前記時間シフトを適用することは、
前記ユーザ機器（３０１）および前記時間シフト値により使用されるサービングセルと関連付けられたスロットインデックスに基づき、シフトされたスロットインデックスを決定すること（６０１）、ならびに
前記シフトされたスロットインデックスにより前記参照信号に基づき生成される前記シーケンスにインデックス付与すること（６０２）
を含む、請求項８に記載のユーザ機器（３０１）。
【請求項１０】
前記時間シフト値に基づき前記時間シフトを適用することは、
前記ユーザ機器（３０１）のサービングセルのための仮想セル識別子（ＶＣＩＤ）を、前記ユーザ機器（３０１）の前記サービングセルのための物理セル識別子（ＰＣＩＤ）と比較すること、および
前記ＶＣＩＤが前記ＰＣＩＤと異なるとの決定に応答して、前記ネットワークノード（２０１）から受信される前記時間シフト値に、前記参照信号と関連付けられた前記時間シフトを選択的に設定すること
を含む、請求項８に記載のユーザ機器（３０１）。
【請求項１１】
前記時間シフト値は、無線リソース制御（ＲＲＣ）シグナリングにより、前記ユーザ機器（３０１）で受信される、請求項８に記載のユーザ機器（３０１）。
【請求項１２】
前記参照信号は、物理アップリンク共有チャネル（ＰＵＳＣＨ）復調用参照信号（ＤＭＲＳ）、物理アップリンク制御チャネル（ＰＵＣＣＨ）ＤＭＲＳ、および／またはサウンディング参照信号（ＳＲＳ）を含む、請求項８に記載のユーザ機器（３０１）。
【請求項１３】
前記干渉ランダム化技術は、巡回シフトホッピング（ＣＳＨ）またはシーケンスグループホッピング（ＳＧＨ）を含む、請求項８に記載のユーザ機器（３０１）。
【請求項１４】
前記処理された参照信号は、アップリンクデータまたは制御チャネル上で送信される、請求項８に記載のユーザ機器（３０１）。
【請求項１５】
無線トランシーバー（４０５）、ならびに
干渉ランダム化技術の参照信号への適用に基づき生成されるシーケンスに、ユーザ機器（２０４）により適用される時間シフトを決定すること、および
前記ノード（２０１）から前記ユーザ機器（２０４）に決定された前記時間シフトを伝達すること
を含む動作を実行するように構成されるプロセッサ（４０２）を備える、無線通信ネットワークのノード（２０１）。
【請求項１６】
前記ノード（２０１）は第１のノード（２０１）であり、前記参照信号は第１の参照信号であり、前記時間シフトを決定することは、
前記時間シフトが適用される前記第１の参照信号が、第２のノード（２０２）により受信される第２の参照信号に直交するように、前記時間シフトの決定を前記無線通信ネットワークの前記第２のノード（２０２）と調整すること
をさらに含む、請求項１５に記載のノード（２０１）。
【請求項１７】
前記ユーザ機器（２０４）は第１のユーザ機器（２０４）であり、前記第１の参照信号は、前記第１のノード（２０１）と関連付けられた前記第１のユーザ機器（２０４）から受信され、前記第２の参照信号は、前記第２のノード（２０２）と関連付けられた第２のユーザ機器（２０５）から受信される、請求項１６に記載のノード。
【請求項１８】
前記プロセッサは、
前記第１のユーザ機器（２０４）と潜在的に相互に干渉する１以上のユーザ機器（２０５）とそれぞれ関連付けられた１以上の時間シフトに関連する情報を収集すること
を含む動作を実行するようさらに構成される、請求項１６に記載のノード（２０１）。
【請求項１９】
前記プロセッサは、
処理された参照信号を前記第１のユーザ機器（２０４）から受信することであって、前記処理された参照信号は、前記時間シフトが適用された前記シーケンスと関連付けられる、受信すること、および
受信された前記処理された参照信号に基づき、前記第１のユーザ装置（２０４）と関連付けられたアップリンクチャネルを推定すること
を含む動作を実行するようさらに構成される、請求項１５に記載のノード（２０１）。
【請求項２０】
前記時間シフトは、時間スロット、フレームおよび／またはサブフレームの整数を含む、請求項１５に記載のノード（２０１）。
【請求項２１】
前記参照信号は、物理アップリンク共有チャネル（ＰＵＳＣＨ）復調用参照信号（ＤＭＲＳ）、物理アップリンク制御チャネル（ＰＵＣＣＨ）ＤＭＲＳ、またはサウンディング参照信号（ＳＲＳ）を含む、請求項１５に記載のノード（２０１）。
【請求項２２】
前記干渉ランダム化技術は、巡回シフトホッピング（ＣＳＨ）またはシーケンスグループホッピング（ＳＧＨ）を含む、請求項１５に記載のノード（２０１）。
【請求項２３】
前記時間シフトを前記ユーザ機器（２０４）に伝達することは、ＵＥ固有の方式またはセル固有の方式の無線リソース制御（ＲＲＣ）シグナリングを使用して、前記時間シフトを伝達することを含む、請求項１５に記載のノード（２０１）。
【発明の詳細な説明】
【技術分野】
【０００１】
関連出願の相互参照
この非仮特許出願は、２０１３年３月１７日に出願された、アップリンク参照信号の分離型（ｄｅｃｏｕｐｌｅｄ）干渉ランダム化のための方法、システムおよび装置と題する、米国特許出願第１３／８９６８９３、ならびに２０１２年５月２３日に出願された、アップリンク参照信号の分離型干渉ランダム化と題する、米国仮出願第６１／６５０６６０の利益を主張し、それら両出願の開示は、本明細書中で完全に説明されるかのように参照することにより、本明細書中に組み込まれる。
【０００２】
本明細書に記載の様々な実施形態は、無線周波数通信に関し、より具体的には、無線通信ネットワークおよびデバイス、ならびにそれらの動作方法に関する。
【背景技術】
【０００３】
無線通信ネットワークは、様々なタイプの無線端末での無線通信にますます使用されるようになってきている。ワイヤレスネットワーク自体は、複数のセル、および基地局を制御し、基地局を他の有線および／または無線ネットワークとインターフェースで連結するコアネットワークを定義する、一般的に「基地局」、「無線アクセスノード」、「ＲＡＮノード」、「ＮｏｄｅＢ」、「ｅＮｏｄｅＢ」または単に「ノード」とも呼ばれる、複数の無線基地局を含むことができる。ノードは、地上および／または宇宙ベースとすることができる。ノードは、無線ネットワークに割り当てられる無線リソースを使用する、「ユーザ機器（ＵＥ）」、「移動局」、「ユーザ端末」、「端末」または単に「無線デバイスとも呼ばれる、無線端末と通信する。無線リソースは、（例えば、時分割多元接続（ＴＤＭＡ）システムにおける）時間、（例えば、周波数分割多元接続（ＦＤＭＡ）システムにおける）周波数、および／または（例えば、符号分割多元接続（ＣＤＭＡ）システムにおける）符号の観点から定義することができる。ノードは、認可されたおよび／または無認可の周波数スペクトルを使用することができる。無線リソースは、初期通信時の無線ネットワークによって無線デバイスに割り当てることができ、例えば、無線デバイスの移動、帯域幅要件の変更、ネットワークトラフィックの変更などのために再び割り当てることができる。
【０００４】
この節で説明される手法は、追求することができたであろうが、以前に着想または追求されたことがある手法とは限らない。それゆえに、本明細書において別に示されない限り、この節で説明される手法は、本願の特許請求の範囲に対する先行技術でも本出願の優先権を主張する任意の出願でもなく、この節を含むことにより先行技術であるとは認められない。
【発明の概要】
【課題を解決するための手段】
【０００５】
本明細書に記載の様々な実施形態は、無線ネットワークにおけるアップリンク参照信号のための分離型干渉ランダム化の方法を提供することができる。本明細書に記載の様々な実施形態によれば、無線ネットワークのユーザ機器からの参照信号間の干渉を低減することは、無線ネットワークのノードから時間シフト値を受信することを含むことができる。干渉ランダム化技術は、参照信号に適用することができる。シーケンスは、前記干渉のランダム化技術が適用された前記参照信号に基づき生成することができる。前記受信された時間シフト値に基づき、時間シフトは、処理された参照信号を得るために前記シーケンスに適用することができる。前記処理された参照信号は、前記ノードに送信することができる。
【０００６】
いくつかの実施形態では、前記時間シフト値に基づき前記時間シフトを適用することは、前記ユーザ機器および前記時間シフト値により使用されるサービングセルと関連付けられたスロットインデックスに基づき、シフトされたスロットインデックスを決定することを含むことができる。前記参照信号に基づき生成される前記シーケンスは、前記シフトされたスロットインデックスによりインデックス付与することができる。
【０００７】
いくつかの実施形態によれば、前記時間シフト値に基づき前記時間シフトを適用することは、前記ユーザ機器のサービングセルのための仮想セル識別子（ＶＣＩＤ）を、前記ユーザ機器の前記サービングセルのための物理セル識別子（ＰＣＩＤ）と比較すること、および  前記ＶＣＩＤが前記ＰＣＩＤと異なるとの決定に応答して、前記ネットワークノードから受信される前記時間シフト値に、前記参照信号と関連付けられた前記時間シフトを選択的に設定することを含むことができる。
【０００８】
いくつかの実施形態では、前記時間シフト値は、無線リソース制御（ＲＲＣ）シグナリングにより、前記ユーザ機器で受信することができる。前記参照信号は、物理アップリンク共有チャネル（ＰＵＳＣＨ）復調用参照信号（ＤＭＲＳ）、物理アップリンク制御チャネル（ＰＵＣＣＨ）ＤＭＲＳ、および／またはサウンディング参照信号（ＳＲＳ）を含むことができる。前記干渉ランダム化技術は、巡回シフトホッピング（ＣＳＨ）またはシーケンスグループホッピング（ＳＧＨ）を含むことができる。前記処理された参照信号は、アップリンクデータまたは制御チャネル上で送信することができる。
【０００９】
様々な実施形態が、無線デバイスのための無線ネットワークのユーザ機器からの参照信号間の干渉を低減させる方法に関して先ほど述べられたと理解されるだろう。本明細書に記載の実施形態のいずれかに記載の無線デバイスおよび／または無線ネットワークのノードのための類似の実施形態が提供されてもよい。具体的には、無線ネットワークのユーザ機器は、ノードへのアップリンク（ＵＬ）上で送信し、前記ノードからのダウンリンク（ＤＬ）上で受信するように構成されるトランシーバーを含むことができる。前記ユーザ機器は、前記トランシーバーを介して、前記ネットワークノードから時間シフト値を受信すること、干渉ランダム化技術を参照信号に適用すること、前記干渉のランダム化技術が適用された前記参照信号に基づきシーケンスを生成すること、および処理された参照信号を得るために、前記シーケンスに、前記時間シフト値に基づき時間シフトを適用することなどの動作を実行するように構成されるプロセッサを含むことができる。前記トランシーバーは、前記処理された参照信号を送信するように構成することができる。
【００１０】
本明細書に記載のいくつかの実施形態によれば、無線通信ネットワークのノードは、無線トランシーバーおよび／またはプロセッサを含むことができる。前記プロセッサは、干渉ランダム化技術の参照信号への適用に基づき生成されるシーケンスに、ユーザ機器により適用される時間シフトを決定することなどの動作を実行するように構成することができる。いくつかの実施形態では、前記プロセッサは、前記ノードから前記ユーザ機器に決定された前記時間シフトを伝達するように構成することができる。
【００１１】
いくつかの実施形態では、前記ノードは第１のノードとすることができ、前記参照信号は第１の参照信号とすることができる。前記時間シフトを決定することは、前記時間シフトが適用される前記第１の参照信号が、第２のノードにより受信される第２の参照信号に直交するように、前記時間シフトの決定を前記無線通信ネットワークの前記第２のノードと調整することを含むことができる。いくつかの実施形態では、前記ユーザ機器は、第１のユーザ機器とすることができる。前記第１の参照信号は、前記第１のノードと関連付けられた前記第１のユーザ機器から受信することができ、前記第２の参照信号は、前記第２のノードと関連付けられた第２のユーザ機器から受信することができる。
【００１２】
いくつかの実施形態によれば、前記プロセッサは、前記第１のユーザ機器と潜在的に相互に干渉する１以上のユーザ機器とそれぞれ関連付けられた１以上の時間シフトに関連する情報を収集するように構成することができる。前記プロセッサは、処理された参照信号を前記第１のユーザ機器から受信するように構成することができ、前記処理された参照信号は、前記時間シフトが適用された前記シーケンスと関連付けられる。前記プロセッサは、受信された前記処理された参照信号に基づき、前記第１のユーザ装置に関連付けられたアップリンクチャネルを推定するように構成することができる。
【００１３】
いくつかの実施形態によれば、前記時間シフトは、時間スロットの整数数、フレームおよび／またはサブフレームとすることができる。前記参照信号は、物理アップリンク共有チャネル（ＰＵＳＣＨ）復調用参照信号（ＤＭＲＳ）、物理アップリンク制御チャネル（ＰＵＣＣＨ）ＤＭＲＳ、および／またはサウンディング参照信号（ＳＲＳ）を含むことができる。前記干渉ランダム化技術は、巡回シフトホッピング（ＣＳＨ）またはシーケンスグループホッピング（ＳＧＨ）を含むことができる。
【００１４】
いくつかの実施形態によれば、前記時間シフトを前記ユーザ機器に伝達することは、ＵＥ固有の方式またはセル固有の方式の無線リソース制御（ＲＲＣ）シグナリングを使用して、前記時間シフトを伝達することを含むことができる。
【図面の簡単な説明】
【００１５】
【図１】図１は、本明細書に記載の様々な実施形態によるＣＳＨおよびＳＧＨシーケンスの時間シフトを含むＰＵＳＣＨ  ＤＭＲＳの展開およびネットワーク構成の例を示す。
【図２】図２は、本明細書に記載の実施形態で使用することができる例示的な無線通信ネットワークを示す。
【図３】図３は、本明細書に記載の実施形態で使用することができるユーザ機器のブロック図である。
【図４】図４は、本明細書に記載の実施形態で使用することができるノード又は基地局のブロック図である。
【図５】図５は、本明細書に記載の様々な実施形態による、参照信号間の干渉を低減するために実行することができる動作のフローチャートである。
【図６】図６は、本明細書に記載の様々な実施形態による、参照信号間の干渉を低減するために実行することができる動作のフローチャートである。
【発明を実施するための形態】
【００１６】
１．序文
本明細書に記載の様々な実施形態は、無線ネットワークのユーザ機器からの参照信号間の干渉を低減するためのシステム、方法および装置を提供することができる。本明細書に記載の様々な実施形態は、具体的には、改良されたレシーバーが高い干渉を処理するために使用されるネットワークで使用することができる。
【００１７】
様々な実施形態の例が示される添付図面を参照しながら、様々な実施形態が以下でより詳しく説明されるだろう。しかし、本発明は、多くの異なる形態で実施することができ、本明細書に記載された実施形態に限定されると解釈されるべきではない。そうではなく、本開示が包括的かつ完全なものとなり、本発明の範囲を当業者に十分に伝えられるように、これらの実施形態が提供される。また、これらの実施形態は相互に排他的ではないことに留意すべきである。１つの実施形態の構成要素は、暗黙のうちに別の実施形態の中にある／別の実施形態で使用されると想定することができる。
【００１８】
例示および説明のためだけに、無線端末と無線通信チャネルを介して通信する無線ネットワークで動作するという状況で、これらの実施形態および他の実施形態が本明細書に記載される。しかしながら、本発明はこのような実施形態に限定されるものではなく、任意の種類の通信ネットワークで一般的に実施することができると理解されるだろう。本明細書で使用されるように、無線デバイスは、無線通信ネットワークからデータを受信する任意のデバイスを含むことができ、携帯電話（「セルラ」電話）、ラップトップ／ポータブルコンピュータ、ポケットコンピュータ、ハンドヘルドコンピュータ、デスクトップコンピュータ、マシンツーマシン（Ｍ２Ｍ）またはＭＴＣ型デバイス、無線通信インターフェースを含むセンサなどに限定されないが、これらを含むことができる。
【００１９】
ユニバーサルモバイルテレコミュニケーションシステム（ＵＭＴＳ）は、モバイル通信用グローバルシステム（ＧＳＭ）から発展した第三世代移動通信システムであり、広帯域符号分割多元接続（ＷＣＤＭＡ）技術に基づき改良された移動通信サービスを提供することを目的とする。ＵＭＴＳ地上無線アクセスネットワークの略であるＵＴＲＡＮは、ＵＭＴＳ無線アクセスネットワークを構成するＮｏｄｅＢおよび無線ネットワークコントローラの総称である。したがって、ＵＴＲＡＮは、本質的にＵＥのための広帯域符号分割多元接続を使用する無線アクセスネットワークである。
【００２０】
第三世代パートナーシッププロジェクト（３ＧＰＰ）は、ＵＴＲＡＮおよびＧＳＭベースの無線アクセスネットワーク技術のさらなる発展を約束している。この点に関し、進化型ユニバーサル地上無線アクセスネットワーク（Ｅ−ＵＴＲＡＮ）の仕様は、３ＧＰＰ内で進行中である。進化型ユニバーサル地上無線アクセスネットワーク（Ｅ−ＵＴＲＡＮ）は、ロングタームエボリューション（ＬＴＥ）およびシステムアーキテクチャエボリューション（ＳＡＥ）を含む。
【００２１】
３ＧＰＰ（第３世代パートナーシッププロジェクト）ＬＴＥ（ロングタームエボリューション）の用語が、本明細書に記載の様々な実施形態を例示するために本明細書中で使用されるが、本発明の範囲をこれらのシステムだけに限定するものと見なされるべきではないことに留意されたい。ＷＣＤＭＡ（広帯域符号分割多元接続）、ＷｉＭａｘ  （マイクロ波アクセス用ワールドワイドインターオペラビリティ）、ＵＭＢ（ウルトラモバイルブロードバンド）、ＨＳＤＰＡ（高速ダウンリンクパケットアクセス）、ＧＳＭ（移動通信用グローバルシステム）などを含む他の無線システムもまた、本明細書に開示される種々の実施形態を利用することから利益を得ることができる。
【００２２】
また、注目すべきは、基地局およびＵＥなどの専門用語は、非限定的なもとのみなされるべきで、特にその２つの間の一定の階層関係を意味するものではない；即ち、「基地局」はデバイス１、および「ＵＥ」はデバイス２とみなすことができ、これら２つのデバイスは、ある無線チャネルを通じて互いに通信するということである。
【００２３】
種々の実施形態を説明する前に、ＬＴＥの技術概要が、本明細書に記載される様々な実施形態の理解を促すために提供される。
【００２４】
１．１  技術概要
以下の説明は、提案された解決策の特定の実施形態がダウンリンク（ＤＬ）および他の通信プロトコルにさらに適用されたとしても、便宜上、ＬＴＥのＲｅｌ−１１ネットワークのＵＬに焦点を当てる。
【００２５】
「セル」は、いくつかのセル固有のアルゴリズムおよび手順に影響を与える「セルＩＤ」によってＬＴＥで特徴づけられる。特定のユーザ機器（ＵＥ）のサービングセルのためのセルＩＤは、物理セルＩＤ（ＰＣＩＤ）と呼ばれることもある。
【００２６】
さらに、ＬＴＥネットワークは、異なるセクタ、および／またはセルが、例えば、スケジューリングおよび／または処理などの点で協調して動作する、選択的なＣｏＭＰ（協調マルチポイント処理）技術を有効にすることを目的に設計される。例は、単一のＵＥから発信する信号が、通常、複数の受信点で受信され、リンク品質を改善するために結合処理することができるアップリンク（ＵＬ）ＣｏＭＰである。ＵＬ結合処理（ＵＬ  ＣｏＭＰのとも呼ばれる）は、従来の配置でセル間干渉とみなされるものの有用な信号への変換を可能にする。したがって、ＵＬ  ＣｏＭＰを利用するＬＴＥネットワークは、ＣｏＭＰの利益を完全に利用するために、従来の展開に比べて小さなセルサイズで展開することができる。
【００２７】
ＬＴＥアップリンク（ＵＬ）は、コヒーレント処理を想定して設計される、即ち、レシーバーは、送信ユーザ機器（ＵＥ）からの無線チャネルを推定し、検出段階においてそのような情報を活用できることが想定される。したがって、各送信ＵＥは、各ＵＬデータまたは制御チャネル（例えば、ＰＵＳＣＨおよびＰＵＣＣＨ）に関連する参照信号（ＲＳ）を送信する。ＰＵＳＣＨの場合には、スロットごとに１つの復調参照信号（ＤＭＲＳ）が、アップリンクデータチャネルと同一の帯域幅で送信される。ＰＵＣＣＨの場合には、複数のＰＵＣＣＨ−ＲＳが送信され、ＵＥによって各サブフレーム内で時間多重化されるが、これらは、ＵＥに割り当てられたＰＵＣＣＨの帯域幅に及ぶ。
【００２８】
おそらくＵＥにより送信される追加のＲＳは、ＳＲＳ、すなわち、ネットワーク側のＵＬチャネル特性の推定を可能にするために、所定の時間インスタンスおよび所定の帯域幅でＵＥにより送信される信号からなる。
【００２９】
同一セル内の異なるＵＥからのＲＳは、潜在的に互いに干渉することがあり、同期ネットワークを想定すると、隣接するセル内でＵＥにより発信されるＲＳさえも干渉することがある。ＲＳ間の干渉のレベルを制限するために、種々の技術が、直交または準直交ＲＳを有効にするために、種々のＬＴＥリリースで導入されている。ＬＴＥの設計原理は、（直交ＲＳが、いわゆる「シーケンス計画」によるセルの集合体のために実現できるとしても）各セル内の直交ＲＳ、および異なるセル間の準直交ＲＳを想定する。しかしながら、異なるセルに属するＵＥによって送信されるＤＭＲＳの直交性は、Ｒｅｌ−１１  ＬＴＥ標準化において現在議論中である。セル間ＤＭＲＳの直交性についての技術群（ａ  ｆａｍｉｌｙ  ｏｆ  ｔｅｃｈｎｉｑｕｅｓ）が議論されている。これらの技術の中には、異なるセルの異なるＵＥによりＲＳ生成に用いられるベースシーケンスインデックス（ＢＳＩ）を調整する可能性により決まるものもある。
【００３０】
ＬＴＥのＵＬにおける別のアプリケーションは、マルチユーザ多入力多出力（ＭＵ−ＭＩＭＯ）であり、複数のＵＥからのＰＵＳＣＨでのデータ送信が、同一セル内で、同一サブフレームの少なくとも部分的に重複する帯域幅にコスケジューリングされる（ｃｏｓｃｈｅｄｕｌｅｄ）。ＵＥは、マルチアンテナ処理を利用することによりレシーバー側で分離される。レシーバーがコスケジューリングされたＵＥからの信号を分解できるように、直交方式のＤＭＲＳをそのようなＵＥに割り当てることが有益である。これは、コスケジューリングされたＵＥのＤＭＲＳに異なるＯＣＣを割り当てることにより実現することができる。コスケジューリングされた帯域幅が完全に重なっている場合に、異なるＵＥに対するＤＭＲＳのＣＳ分離もまた利用することができる。
【００３１】
各ＤＭＲＳは、いわゆるベースシーケンスインデックス（ＢＳＩ）を定義するグループインデックスおよびシーケンスインデックスにより特徴づけられる。ＢＳＩは、ＬＴＥ  Ｒｅｌ−８／９／１０のセル固有の方式で割り当てられ、セルＩＤの関数である。異なるベースシーケンスは準直交であり、これは、いくつかのシーケンス間の干渉が一般的な場合に存在することを意味する。所与のＵＥに対するＤＭＲＳは、ＰＵＳＣＨの同一帯域で送信されるのみで、ベースシーケンスは、ＲＳ信号がＰＵＳＣＨ帯域幅の関数であるように、それに応じて生成される。サブフレームごとに、２つのＲＳが、スロット毎に１つ送信される。ＬＴＥ  Ｒｅｌ−１１では、ＢＳＩのＵＥ固有の割り当てが導入される可能性がある。
【００３２】
直交ＤＭＲＳは、ＬＴＥ  Ｒｅｌ−８／９の巡回シフト（ＣＳ）の使用により、またはＬＴＥ  Ｒｅｌ−１０の直交するＯＣＣと併せてＣＳにより実現することができる。ＣＳは、同一のベースシーケンスから生成されるＲＳ間で、特定の伝搬条件下で巡回時間シフトに基づき、直交性を実現するための方法である。実際には８未満の直交ＤＭＲＳが、チャネル伝搬特性に応じて実現できる（この例ではＯＣＣを考慮せずに）が、８つの異なるＣＳ値だけが、ＬＴＥ  Ｒｅｌ−８／９／１０で動的にインデックス付与することができる。ＣＳは完全に重複する帯域幅に割り当てられた多重化ＤＭＲＳで有効であるが、帯域幅が異なる場合、および／または干渉ＵＥが別のベースシーケンスを採用する場合には、直交性が失われる。
【００３３】
異なるＵＥ間で（例えば、異なるセルで）干渉ランダム化を増やすために、ＣＳ値への擬似ランダムオフセットが適用される（ＣＳホッピング（ＣＳＨ））。ランダム化パターンは、ＬＴＥ  Ｒｅｌ−８／９／１０においてセル固有のものである。異なるＣＳオフセットは、概して、各スロットに適用され、ＵＥおよびｅＮＢの双方に知らされるので、チャネル推定中にレシーバー側で補償することができる。
【００３４】
ＯＣＣは、各ＵＬサブフレームに設けられた２つのＲＳで動作する、直交時間領域符号に基づく多重化技術である。ＯＣＣ符号［１−１］は、レシーバーでの整合フィルタの後のその貢献が、同一のサブフレームの両方のＤＭＲＳで一致する限り、干渉ＤＭＲＳを抑制することができる。同様に、ＯＣＣ符号［１  １］は、ｅＮＢ整合フィルタの後のその貢献が、同一のサブフレームの２つのＲＳ上にそれぞれ逆符号を有する限り、干渉ＤＭＲＳを抑制することができる。ＣＳおよびＯＣＣがＬＴＥ  ＲＥＬ−１１  ＵＥによってもサポートされると想定することは容易である。
【００３５】
ベースシーケンスが準静的な方式で割り当てられる一方で、ＣＳおよびＯＣＣは、ＵＬ  ＰＵＳＣＨ送信ごとにスケジューリング許可の一部として動的に割り当てられる。結合処理技術がＰＵＳＣＨに対して適用できるとしても、ＤＭＲＳに基づくチャネル推定は、通常、ＵＬ  ＣｏＭＰの場合でさえ、各受信点で独立した方式で実行される。したがって、特にＲＳについては、干渉レベルを許容可能な低いレベルで維持することが重要である。
【００３６】
ＳＲＳの場合、ＲＳはまた、ＢＳＩ（一部のＵＥのＤＭＲＳ  ＢＳＩとは異なることがある）に従って生成される。異なるＳＲＳは、ＣＳおよびＣＯＭＢの使用により多重化することができる。ＣＯＭＢは、サブキャリアのサブセットに対するＲＳの特定のインターリーブされたマッピング（ｉｎｔｅｒｌｅａｖｅｄ  ｍａｐｐｉｎｇ）を示す。異なるＣＯＭＢＳ（即ち、サブキャリアの重複しない組）に割り当てられたＳＲＳは、ゆえに理想的に直交する。
【００３７】
ＰＵＣＣＨ−ＲＳの場合、スロット毎の１以上のＲＳが、ＰＵＣＣＨフォーマットおよび他のパラメータに応じて生成される。異なるＵＥのＰＵＣＣＨ−ＲＳは、ＣＳおよびＯＣＣの使用により分離され、これは各スロットに広がる。また、ＰＵＣＣＨ−ＲＳは、概して、ＤＭＲＳ  ＢＳＩとは異なることがあるＢＳＩに応じて生成される。
【００３８】
ＲＳにおける干渉ピークの影響を最小限にするために、干渉ランダム化技術がＬＴＥに導入されている。具体的には、シーケンスホッピングおよびグループホッピング（まとめてＳＧＨと呼ばれる）は、少なくとも、セルＩＤおよびシーケンスインデックスの関数である、セル固有のパターンを有するスロットレベルで動作するＢＳＩランダム化技術である。ＳＲＳの場合には、サブフレームごとにただ１つのＳＲＳシンボルが、典型的には、（特定のアップリンクパイロットタイムスロット（ＵｐＰＴＳ）構成を除いて）生成されるので、ＳＧＨは、サブフレームレベルで動作する。
【００３９】
ＳＧＨは、グループホッピングおよびシーケンスホッピングにそれぞれ影響を与える、セル固有のパラメータ  Ｇｒｏｕｐ−ｈｏｐｐｉｎｇ−ｅｎａｂｌｅｄおよびＳｅｑｕｅｎｃｅ−ｈｏｐｐｉｎｇ−ｅｎａｂｌｅｄの使用により、セルベースで有効／無効とすることができる。ＬＴＥのＲｅｌ−１０  ＵＥに対して、ＳＧＨは、ＵＥ固有のＲＲＣパラメータＤｉｓａｂｌｅ−ｓｅｑｕｅｎｃｅ−ｇｒｏｕｐ−ｈｏｐｐｉｎｇを設定することにより、ＵＥ固有の方式で無効にすることができる。ＳＧＨが有効である場合、それは、ＵＬ  ＲＳ、ならびにより具体的には、ＤＭＲＳ、ＰＵＣＣＨ−ＲＳおよびＳＲＳに対するＢＳＩランダム化を意味する。
【００４０】
ＬＴＥのＲｅｌ−１１の標準化に照らして、多くのＵＬ参照信号（ＲＳ）の拡張機能が議論されている。特に、ＢＳＩおよびＣＳＨパターン初期化のＵＥ固有の割り当ては、ＵＬ  ＤＭＲＳ、ならびにＳＲＳとＰＵＣＣＨ  ＤＭＲＳのような他のＵＬ  ＲＳに対して導入される可能性がある。ＵＥ固有のＢＳＩがＵＥに対して設定されている場合、ＢＳＩは、ＰＣＩＤの代わりにＵＥ固有の仮想セルＩＤ（ＶＣＩＤ）の関数として導き出される。ＶＣＩＤはまた、ＳＧＨのシーケンス発生器の初期化のためにも使用される。同様に、ＣＳＨ（ＬＴＥ  Ｒｅｌ−１０仕様３６．２１１のｃｉｎｔ）の初期化パラメータは、詳細がなおも合意の対象とされるいくつかのＵＥ固有のパラメータから導き出される。ＬＴＥ  Ｒｅｌ−１０に関しては同一の疑似乱数発生器が、ＣＳＨおよびＳＧＨのために、ＬＴＥ  Ｒｅｌ−１１のＵＥに対して再利用される予定であることが理解される。異なるＵＥ固有の初期化（および結果として、ＢＳＩおよびホッピングパターン）は、ＰＵＳＣＨ  ＤＭＲＳ、ＰＵＣＣＨ  ＤＭＲＳおよびＳＲＳなどの様々なＲＳ型に定義されてもよい。
【００４１】
ＵＥ固有のＢＳＩおよびＣＳＨは、例えば、ＵＬにおける異なるＵＥにより送信されるＲＳ間のセル間直交性を実現するために、利用することができる。同一のＣＳＨを干渉ＵＥに割り当てることにより、ＯＣＣを用いてセル間直交性を実現することが可能である。またＢＳＩがアラインメントされる場合、ＣＳもまた、直交性のために利用することができる。
【００４２】
干渉を扱うためのいくつかの方法が、ＬＴＥ、特にＤＬにおいて議論されている。１つの可能性は、異なるノード間に所定の時間オフセットを含むネットワークを展開することである。時間オフセットが注意深く選択される（通常、サブフレームの整数数）場合、ＤＬで重要な制御信号（例えば、同期信号、ＰＳＳ／  ＳＳＳなど）間の相互干渉を回避することができる。この方法は、以下では、サブフレームシフト（ＳＳ）と呼ばれるだろう。
【００４３】
１．２  対処される問題
ＳＳ及びＵＬ  ＣｏＭＰの例では、ＢＳＩ発生器は、ＳＧＨが有効な場合、時間でアラインメントされないので、ネットワークは、異なるセルに属するＵＥを干渉するためのＢＳＩをアラインメントすることができないこともある。ネットワークが異なるセルに属する干渉ＵＥ間の時間でＣＳＨをアラインメントしようとする場合に、同様の問題が発生する。上記の問題は、結果として、ネットワークフレキシビリティを制限し、直交ＲＳを含むＵＥをペアリングする機会を縮小する。上記は、少なくともＰＵＳＣＨ  ＤＭＲＳ、ＰＵＣＣＨ  ＤＭＲＳおよびＳＲＳに適用される。
【００４４】
２．提案された解決策の基本的な考え方
提案された解決策は、ＣＳＨおよびＳＧＨに対して生成される擬似ランダムシーケンス（図５のブロック５０４）の適切な時間シフトを与えるためにＵＥにシグナリングされる新しいＵＥ固有のオフセットを導入する。
【００４５】
３．０  提案された解決策の詳細な技術的説明
本開示は、ＰＵＳＣＨ  ＤＭＲＳ、ＰＵＣＣＨ  ＤＭＲＳおよびＳＲＳ用のシーケンス発生器の出力の時間シフトを提案する。特に、ＣＳＨおよびＳＧＨ用の発生器の出力をシフトさせることができる。シフトは、所与のＵＥのためのサービングセルに関連付けられたスロット番号と比較して、スロットの整数数として表すことができる。時間シフトは、所与のＵＥのためのサービングセルに対応するスロットにおいて期待される出力と比較して、ＣＳＨおよびＳＧＨシーケンス発生器の出力の遅延または見込みから構成することができる。時間シフトは、ＵＥ固有のまたはセル固有の方式でＲＲＣシグナリングによりシグナリングすることができる。
【００４６】
サブフレームインデックスが直交ＵＥ間でアラインメントされると（スロットインデックスと比較して）、ＰＵＳＣＨ  ＤＭＲＳ間の直交性は、容易に実現可能であること、およびＬＴＥにおいて、各サブフレームが２つのスロットを含むことを考慮すると、サブフレームの整数数からなる時間シフトをシグナリングすることが可能となりうる。しかしながら、ＬＴＥ仕様は、主に、無線フレーム内の０〜１９の番号が付与されたスロットの概念を採用することにより記述されるので、ＵＥは、スロットの数で表される対応する時間オフセットを適用することが期待できる。
【００４７】
スロットインデックスをシフトすることができるにもかかわらず、ＣＳＨおよびＳＧＨ用のシーケンス発生器は、無線フレームがサービングセルに基づくとすることができる場合に、各無線フレームの開始時にリセットすることができる。これにより、ネットワークおよびＵＥに対する再構成プロセス（例えば、ＣＳＨとＳＧＨに対する初期化の修正）を簡単にすることができる。さらに、ＣＳＨおよびＳＧＨ初期化の再構成をさらに簡単にするために、特定の実施形態において、ＵＥは、少なくとも時間シフトのＲＲＣ再構成に続き、第１の無線フレームの開始時に更新された時間シフトを適用することができる。そうすることによって、初期化および時間シフトの再構成は、同一の時間インスタンス（ＲＲＣ再構成に続く無線フレームの開始）で起こり得るため、ＣＳＨおよびＳＧＨに対して部分的にのみ再構成されるＲＳの送信を潜在的に回避することができる。
【００４８】
特定の実施形態では、ＵＥは、ＶＣＩＤと、所定のＵＬ  ＲＳ型（例えば、ＰＵＳＣＨ  ＤＭＲＳ、ＰＵＣＣＨ  ＤＭＲＳまたはＳＲＳ）のＰＣＩＤとを比較する（図６のブロック６０３）。ＰＣＩＤとＶＣＩＤが所定のＲＳ型に対して一致する場合、そのＲＳ型の時間シフトを０に設定することができる。別の例では、ＰＣＩＤおよびＶＣＩＤが所定のＲＳ型に対して一致する場合、そのＲＳ型の時間シフトを、ＲＲＣによりシグナリングされるセル固有の値に設定することができる。ＶＣＩＤおよびＰＣＩＤが異なる場合、ＵＥは、ＲＲＣによりシグナリングされるようなＵＥ固有の時間シフト値を用いることができる。こうすることにより、ＵＥは、セルＩＤおよび時間シフトの両方の再構成を必要とせずに、｛ＶＣＩＤ、ＵＥ固有の時間シフト｝から｛ＰＣＩＤ、セル固有の時間シフト｝までを使用して再構成することができる（図６のブロック６０４）。別の例では、そのような規則は、フォールバック動作の場合に、即ち、例えば、送信モード再構成中、又は新しいネットワークに加入するときなどの、ＵＥがレガシーＵＥとして動作するよう命令されるとき、利用することができる。
【００４９】
複数のＲＳ構成がＵＥに対して（例えば、ＰＵＳＣＨ  ＤＭＲＳ、ＰＵＣＣＨ  ＤＭＲＳまたはＳＲＳに対して）定義できる場合には、個々の時間シフトは、各ＲＳ構成に対して設定することができる。これにより、異なるＲＳ構成は、セル間の直交性の目的のために、異なるセルの時間シフトと一致することができる。
【００５０】
特定の実施形態において、ネットワークは、所定のＵＥと潜在的に相互に干渉するＵＥと関連付けられた時間シフトについての情報を収集する。ネットワークは次に、ＣＳＨおよび／またはＳＧＨのシーケンス発生器が、相互に干渉するＵＥにおける発生器とアラインメントされた（サブフレームごとに）時間となるように、所定のＵＥの少なくともいくつかのＲＳ型用の少なくとも１つのＲＳ構成を構成することができる。
【００５１】
いくつかの実施形態では、特定の時間シフト値は、ＣＳＨおよびＳＧＨに対してそれぞれ定義することができ、２つの時間シフトのうちの１つは０に等しいとすることができる。１つの例示的な適用は、セル間でのＯＣＣ直交性を利用することができるＰＵＳＣＨ  ＤＭＲＳである。その場合には、セル間のＢＳＩの最大ランダム化を利用するために（図５のブロック５０３）、ＢＳＩ発生パターン（ＳＧＨ）ではなく、ＣＳＨパターンをアラインメントすることが便利であるかもしれない。
【００５２】
特定の実施形態では、共通の時間シフトは、ＣＳＨシーケンスおよびＳＧＨシーケンスの両方に適用することができる（図５のブロック５０５）。１つの例として、ＵＥの特定のシフトされたスロットインデックスｎｓ’は、以下のようにＲＳ構成に対して定義することができる：
ｎｓ’＝  ｍｏｄ（ｎｓ  ＋Δ，２０）
ここでΔはＵＥに対して定義される時間オフセットであり、ｎｓはサービングセルに対するスロットインデックスである。ｎｓ’は、ＣＳＨおよび／またはＳＧＨ発生器の出力にインデックス付与するために使用することができる（図６のブロック６０２）。
【００５３】
それゆえに、特定の実施形態では、ＵＥは、ネットワークノード（例えば、サービング基地局）から時間オフセットを受信することができる。ＵＥは、ＵＥと関連付けられた、時間オフセットおよびサービングセルに対するスロットインデックスに基づいて、シフトされたスロットインデックスを算出することができる（図６のブロック６０１）。ＵＥは、（例えば、ＣＳＨ発生器および／またはＳＧＨ発生器の出力を調節することにより）シフトされたスロットインデックスに基づいて、ＣＳＨパラメータおよび／またはＳＧＨパラメータを決定することができる。ＣＳＨパラメータまたはＳＧＨパラメータは、ＣＳＨパターンまたはＳＧＨパターンのように、ＣＳＨまたはＳＧＨとそれぞれ関連付けられたパラメータを表すことができる。ＵＥは、ＣＳＨパラメータおよび／またはＳＧＨパラメータを使用して、参照信号を送信することができる（図５のブロック５０６）。
【００５４】
さらに、特定の実施形態では、ネットワークノード（例えば、基地局）は、基地局によってサービス提供される１以上のＵＥに、ＵＥ固有のオフセットを送信するように構成することができる（図５のブロック５０２）。ネットワークノードは、ＵＥがＵＥ固有のオフセットに基づいて決定したかもしれないＣＳＨパラメータおよび／またはＳＧＨパラメータを使用するＵＥの１つにより送信されるそれぞれのＲＳを受信することができる。ネットワークノードは、受信されるＲＳに基づいて、関連するＵＥと関連付けられるアップリンクチャネルを推定することができる。ネットワークノードは、関連するＵＥとの通信でチャネル推定を使用することができる。例えば、ネットワークノードは、チャネル推定を使用して、ＵＥからの特定の送信を復調することができ、および／またはチャネル推定値を使用して、ＵＥのチャネル依存スケジューリングまたはリンク適応を実行することができる。
【００５５】
ＵＬ  ＣｏＭＰおよびＳＳのネットワーク構成の例が図１に提供される。この例では、レガシー（例えば、ＬＴＥ  Ｒｅｌ−１０）ＵＥ−１０４用のＳＧＨおよびＣＳＨは、ＵＥ−Ｂ１０４に対するＰＵＳＣＨ  ＤＭＲＳ発生を時間シフトすることにより、ＬＴＥ  Ｒｅｌ−１１のＵＥ−Ｂ１０３で一致させることができる。セル間の直交性を実現することができ、ＤＬにおけるＳＳの利点をなおも利用することができる。
【００５６】
提案された制御機能性で、ネットワークは、ＳＳの場合であってもセル間直交ＵＬ  ＲＳを構成することができる。
【００５７】
４．例示的実装
上述の解決方法は、適切な通信規格をサポートし、かつ適切な構成部品を使用する、いずれの適切なタイプのテレコミュニケーションシステムにおいて実装することができ、上述の解決方法の特定の実施形態は、図２に示したようなＬＴＥネットワークにおいて実装することができる。
【００５８】
図２に示されるように、例示的ネットワークは、ユーザ機器（ＵＥ）２０４、２０５および／または２０６のうちの１以上の例、ならびにＵＥ２０４、２０５および／または２０６と通信することができる１以上の基地局２０１、２０２および／または２０３を、ＵＥ間またはＵＥと別の通信デバイス（例えば、固定電話など）との間の通信をサポートするために適した任意の追加の要素とともに、含むことができる。図示されたＵＥ２０４、２０５、および／または２０６は、ハードウェアおよび／またはソフトウェアの任意の適切な組み合わせを含む通信デバイスを表すことができるが、これらのＵＥは、特定の実施形態では、図３により詳細に示された例示的なＵＥ３０１のようなデバイスを表すこともある。同様に、図示された基地局は、ハードウェアおよび／またはソフトウェアのいずれの適切な組み合わせを含むネットワークノードを表すことができるが、これらの基地局は、特定の実施形態では、図４により詳細に示された例示的な基地局４０１のようなデバイスを表すこともある。
【００５９】
図３に示されるように、例示的なＵＥは、プロセッサ３０３、メモリ３０４、トランシーバー３０２、およびアンテナ３０５を含む。特定の実施形態では、移動通信デバイスまたは他の形態のＵＥによって提供されるような上述の機能のうちのいくつかまたは全ては、図３に示されるメモリ３０４等のコンピュータ可読媒体に記憶されている命令を実行するＵＥプロセッサ３０３によって提供することができる。ＵＥの代替実施形態は、上述の機能のうちのいずれかおよび／または上述の解決策をサポートするために必要ないずれの機能を含む、ＵＥの機能の特定の態様を提供する役割を果たし得る、図３に示したもの以外の追加の構成要素を備えることができる。
【００６０】
図４に示されるように、例示的な基地局４０１は、プロセッサ４０２、メモリ４０３、トランシーバー４０５、およびアンテナ４０６を含む。特定の実施形態では、移動基地局、基地局コントローラ、ＮｏｄｅＢ、拡張ＮｏｄｅＢ、および／または他のいずれのタイプの移動通信ノードによって提供されるような上述の機能のうちのいくつかまたは全てを、図４に示すメモリ４０３等のコンピュータ可読媒体に記憶されている命令を実行する基地局によって提供することができる。基地局の代替実施形態は、上で明らかにした機能のうちのいずれかおよび／または上述の解決策をサポートするために必要ないずれの機能を含む追加の機能を提供する役割を果たす、追加の構成要素を備えることができる。
略語
ＢＳＩ    ベースシーケンスインデックス  （Ｂａｓｅ  Ｓｅｑｕｅｎｃｅ  Ｉｎｄｅｘ）
ＣｏＭＰ  協調マルチポイント  （Ｃｏｏｒｄｉｎａｔｅｄ  Ｍｕｌｔｉ  Ｐｏｉｎｔ）
ＣＳ      巡回シフト  （Ｃｙｃｌｉｃ  Ｓｈｉｆｔ）
ＯＣＣ    直交カバーコード  （Ｏｒｔｈｏｇｏｎａｌ  Ｃｏｖｅｒ  Ｃｏｄｅ）
ＲＳ      参照信号  （Ｒｅｆｅｒｅｎｃｅ  Ｓｉｇｎａｌ）
ＳＧＨ    シーケンスグループホッピング  （Ｓｅｑｕｅｎｃｅ  Ｇｒｏｕｐ  Ｈｏｐｐｉｎｇ）
ＳＲＳ    サウンディング参照信号  （Ｓｏｕｎｄｉｎｇ  Ｒｅｆｅｒｅｎｃｅ  Ｓｉｇｎａｌ）
ＤＬ      ダウンリンク  （Ｄｏｗｎｌｉｎｋ）
ＵＬ      アップリンク  （Ｕｐｌｉｎｋ）
【００６１】
本発明の実施形態が示されている添付図面を参照して、様々な実施形態を本明細書中で説明してきた。しかし、本発明は、多くの異なる形態で実施することができ、本明細書に記載された実施形態に限定されると解釈されるべきではない。そうではなく、本開示が包括的かつ完全なものとなり、本発明の範囲を当業者に十分に伝えられるように、これらの実施形態が提供される。
【００６２】
ある要素が別の要素に「結合される」「接続される」「応答する」または別の要素に対するその変形と言われる場合、ある要素は、他の要素に対して直接結合され、接続され、または応答することができ、もしくは介在要素が存在してもよいと理解されるだろう。それに対し、要素が別の要素に「直接結合される」「直接接続される」「直接応答する」または別の要素に対するその変形と言われる場合、介在要素は存在しない。さらに、本明細書中で使用されるような「結合される」「接続される」「応答する」またはその変形は、無線結合、無線接続、または無線応答を含むことができる。類似の番号は、全体を通して類似の要素を指す。本明細書で使用される用語は、ただ単に特定の実施形態を説明するためのものであり、本発明を限定することを意図するものではない。本明細書で使用されるように、単数形１つの（「ａ」「ａｎ」および「ｔｈｅ」）は、文脈が明確に示さない限り、複数形も含むことを意図している。周知の機能または構造は、簡潔および／または明瞭にするために詳細に説明されない場合がある。
【００６３】
なお、第１、第２などの用語を様々な要素を説明するために使用することができるが、これらの要素は、これらの用語によって限定されるべきではないことが理解されるであろう。これらの用語は、ある要素を別の要素から区別するために使用されるにすぎない。例えば、本発明の範囲を逸脱しなければ、第１の要素を第２の要素と呼ぶことができ、同様に、第２の要素を第１の要素と呼ぶことができるだろう。さらに本明細書中で使用されるように、「および／または」という用語は、関連する列挙されたアイテムのうちの１以上のアイテムの任意のおよびすべての組み合わせを含む。
【００６４】
別段の定義がない限り、本明細書で使用されるすべての用語（技術用語および科学用語を含む）は、一般的に、本発明が属する技術分野の当業者によって理解されるものと同じ意味を有する。一般に使用される辞書に定義されるような用語は、本明細書および関連技術の文脈におけるそれらの意味と一致する意味を有するものと解釈されるべきで、本明細書で明白に定義された理想化されたまたは過度に形式的な意味で解釈されないということがさらに理解されるだろう。
【００６５】
本明細書に記載の様々な実施形態は、以下の無線アクセス技術のいずれか：先進移動電話サービス（ＡＭＰＳ）、ＡＮＳＩ−１３６、汎欧州デジタル移動電話方式（ＧＳＭ）、汎用パケット無線サービス（ＧＰＲＳ）、ＧＳＭ進化型高速データレート（ＥＤＧＥ），  ＤＣＳ，  ＰＤＣ，  ＰＣＳ，  符号分割多元接続（ＣＤＭＡ）、広帯域ＣＤＭＡ、ＣＤＭＡ２０００、ユニバーサルモバイルテレコミュニケーションシステム（ＵＭＴＳ）、３ＧＰＰ  ＬＴＥ（第３世代パートナーシッププロジェクトロングタームエボリューション）および／または３ＧＰＰ  ＬＴＥ−Ａ（ＬＴＥ  Ａｄｖａｎｃｅｄ）で動作することができる。例えば、ＧＳＭ動作は、約８２４ＭＨｚ〜約８４９ＭＨｚおよび約８６９ＭＨｚ〜約８９４ＭＨｚの周波数範囲での送受信を含むことができる。ＥＧＳＭ動作は、約８８０  ＭＨｚ〜約９１４  ＭＨｚおよび約９２５  ＭＨｚ〜約９６０  ＭＨｚの周波数範囲での送受信を含むことができる。ＤＣＳ動作は、約１４１０  ＭＨｚ〜約１７８５  ＭＨｚおよび約１８０５  ＭＨｚ〜約１８８０  ＭＨｚの周波数範囲での送受信を含むことができる。ＰＤＣ動作は、約８９３  ＭＨｚ〜約９５３  ＭＨｚおよび約８１０  ＭＨｚ〜約８８５  ＭＨｚの周波数範囲での送信を含むことができる。ＰＣＳ動作は、約１８５０  ＭＨｚ〜約１９１０  ＭＨｚおよび約１９３０  ＭＨｚ〜約１９９０  ＭＨｚの周波数範囲での送受信を含むことができる。３ＧＰＰ  ＬＴＥ動作は、約１９２０  ＭＨｚ〜約１９８０  ＭＨｚおよび約２１１０  ＭＨｚ〜約２１７０  ＭＨｚの周波数範囲での送受信を含むことができる。他の無線アクセス技術および／または周波数帯域はまた、本明細書に記載された様々な実施形態において使用することができる。これらすべてのシステムは、国際電気通信連合−  無線通信局（ＩＴＵ−Ｒ）により定義される国際移動通信（ＩＭＴ）帯域として通常知られている様々な帯域で動作するように設計されており、一般に、現在の技術段階の範囲内で２００  ＭＨｚ〜５  ＧＨＺの周波数範囲で配置することができる。しかしながら、本明細書に記載の種々の実施形態は、任意の無線システムにも同様に適用可能であり、ＩＭＴ帯域に対するいかなる方法においても制限されないことに留意すべきである。
【００６６】
例示および説明のためだけに、本発明の様々な実施形態は、セルラー通信（例えば、セルラー音声および／またはデータ通信）を行うように構成される無線デバイスに照らして本明細書に記載された。しかしながら、本発明は、このような実施形態に限定されるものではなく、１以上の無線アクセス技術に応じて、送受信するように構成される任意の無線通信端末で一般的に実施できることが理解されるだろう。
【００６７】
本明細書で使用されるように、「無線デバイス」という用語は、ディスプレー（テキスト／グラフィック）を含むまたは含まないセルラーおよび／または衛星無線電話；無線電話をデータ処理、ファクシミリおよび／またはデータ通信機能と組み合わせることができるパーソナル通信システム（ＰＣＳ）端末；無線周波数トランシーバーおよびページャ、インターネット／イントラネットアクセス、ウェブブラウザ、オーガナイザ、カレンダおよび／または全地球測位システム（ＧＰＳ）レシーバーを含むことができるパーソナルデジタルアシスタント（ＰＤＡ）またはスマートフォン；ならびに／もしくは無線周波数トランシーバーを含む、従来のラップトップ（ノートブック）、および／またはパームトップ（ネットブック）コンピュータまたは他の機器を含む。本明細書で使用されるように、「無線デバイス」という用語はまた、時間変動または固定地理的座標を有することができる、および／または、携帯可能な、輸送可能な、移動体（航空、海上または陸上ベースの移動体）に搭載可能な、および／または１つ以上の地上および／または地球外の場所で局地的におよび／または分散された形態で動作するのに適したおよび／または動作するように構成される、別の放射ユーザデバイス（ｒａｄｉａｔｉｎｇ  ｕｓｅｒ  ｄｅｖｉｃｅ）も含む。最後に、「ノード」という用語は、１以上のユーザ機器およびコアネットワークと通信するように構成される任意の固定された、携帯可能なおよび／または輸送可能なデバイスを含み、例えば、地上に配置されおよび／または任意の高度で地球上に軌道を有する、（マイクロセル、ピコセル、無線アクセスポイントおよび／またはアドホック通信アクセスポイントを含む）地上セルラー基地局、および衛星を含む。
【００６８】
本明細書で使用されるように、「備える（ｃｏｍｐｒｉｓｅ、ｃｏｍｐｒｉｓｉｎｇ、ｃｏｍｐｒｉｓｅｓ）」、「含む（ｉｎｃｌｕｄｅ、ｉｎｃｌｕｄｉｎｇ、ｉｎｃｌｕｄｅｓ）」、「有する（ｈａｖｅ、ｈａｓ、ｈａｖｉｎｇ）」、またはそれらの変形は、拡張可能であり、１以上の述べられた特徴、整数値、要素、ステップ、構成要素または機能を含むが、１以上の他の特徴、整数値、要素、ステップ、構成要素、機能、またはそれらのグループの存在もしくは追加を除外するものではない。さらにまた、本明細書で使用される場合には、ラテン語のフレーズ「ｅｘｅｍｐｌｉ  ｇｒａｔｉａ」から派生する一般的な略語「例えば（ｅ．ｇ．）」は、先に述べられたアイテムの一般的な例（複数形を含む）を紹介または特定するために使用することができるが、そのようなアイテムの限定を意図するものではない。本明細書中で使用される場合、ラテン語のフレーズ「ｉｄ  ｅｓｔ」から派生する一般的な略語「即ち（ｉ．ｅ．）」は、より一般的な列挙から具体的なアイテムを特定するために使用することができる。
【００６９】
種々の実施形態は、コンピュータに実装される方法、装置（システムおよび／またはデバイス）ならびに／もしくはコンピュータプログラム製品のブロック図および／またはフローチャート図を参照して、本明細書で説明された。ブロック図および／またはフローチャート図のブロック、ならびにブロック図および／またはフローチャート図のブロックの組み合わせは、プロセッサ回路により実行されるコンピュータプログラム命令によって実装することができると理解される。これらのコンピュータプログラム命令は、汎用コンピュータ回路、デジタルプロセッサのような専用コンピュータ回路、および／またはマシンを生成するための他のプログラム可能なデータ処理回路のプロセッサ回路に提供することができ、この結果、コンピュータおよび／または他のプログラム可能なデータ処理装置のプロセッサ回路を介して実行される命令は、ブロック図および／またはフローチャートブロックで特定される機能／行為を実施し、それによりブロック図および／またはフローチャートブロックで特定される機能／行為を実施するための手段（機能性）および／または構造を形成するために、トランジスタ、メモリ位置に記憶された値、およびそのような回路内の他のハードウェア構成要素を変形し、制御する。これらのコンピュータプログラム命令はまた、コンピュータまたは他のプログラム可能なデータ処理装置に特定方式で機能するように指示することができるコンピュータ可読媒体に記憶することができ、これにより、コンピュータ可読媒体に記憶された命令は、ブロック図および／またはフローチャートブロックで特定された機能／行為を実装する命令を含む製造品を生産する。
【００７０】
有形の非一時的なコンピュータ可読媒体は、電子、磁気、光学、電磁、または半導体のデータ記憶システム、装置、またはデバイスを含むことができる。コンピュータ可読媒体のより具体的な例として、以下のもの：ポータブルコンピュータディスケット、ランダムアクセスメモリ（ＲＡＭ）回路、リードオンリメモリ（ＲＯＭ）回路、消去可能なプログラム可能な読み出し専用メモリ（ＥＰＲＯＭまたはフラッシュメモリ）回路、ポータブルコンパクトディスク読み出し専用メモリ（ＣＤ−ＲＯＭ）、およびポータブルデジタルビデオディスク読み取り専用メモリ（ＤＶＤ／  ＢｌｕｅＲａｙ）が含まれるだろう。
【００７１】
コンピュータプログラム命令はまた、一連の動作ステップがコンピュータおよび／または他のプログラム可能な装置で実行され、コンピュータで実行されるプロセスを生成するように、コンピュータおよび／または他のプログラム可能なデータ処理装置上に読み込まれ、これにより、コンピュータまたは他のプログラム可能な装置で実行される命令は、ブロック図および／またはフローチャートのブロックで特定される機能／行為を実施するためのステップを提供する。
【００７２】
従って、本発明の実施形態は、ハードウェア、および／または、まとめて「プロセッサ回路」「モジュール」またはその変形で呼ぶことができる、デジタル信号プロセッサなどのプロセッサで動作するソフトウェア（ファームウェア、常駐ソフトウェア、マイクロコードなどを含む）で実施することができる。
【００７３】
また、いくつかの代替的実装では、ブロックに示されている機能／行為が、フローチャートに示されている順序を外れて起こり得ることにも留意すべきである。例えば、連続して示される２つのブロックは、実質的に同時に実行されてもよく、またはそのブロックが、含まれる機能性／行為次第で時に逆の順序で実行されてもよい。さらに、フローチャートおよび／またはブロック図の所定のブロックの機能は、複数のブロックに分離されてもよく、ならびに／もしくはフローチャートおよび／またはブロック図の２以上のブロックの機能は、少なくとも部分的に統合されてもよい。最後に、他のブロックが図示されるブロックの間に追加／挿入されてもよい。さらに、図のいくつかは、通信の主要方向を示すために通信経路上に矢印を含むが、通信が示された矢印とは反対方向に発生することがあることを理解されたい。
【００７４】
多くの異なる実施形態が、以下の説明及び図面に関連づけられて、本明細書で開示された。これらの実施形態のすべての組み合わせおよび部分的な組み合わせを文字通りに説明し図示することが、過度に繰り返され不明瞭になっているだろう。したがって、図面を含む本明細書は、本明細書に記載の実施形態のすべての組合せおよび部分的組み合わせ、ならびにそれらを形成および使用する方法およびプロセスが完全に記載された説明を構成すると解釈されるべきであり、任意のそのような組み合わせまたは部分的組み合わせに対する主張をサポートするものとする。
【００７５】
図面および明細書において、本発明の開示された実施形態が説明されており、特定の用語が使用されているが、それらは、一般的および説明的な意味でのみ、および限定目的でなく使用されており、本発明の範囲は、続く特許請求の範囲で説明される。
【図１】
2015525023.tif 000003
【図２】
2015525023.tif 000004
【図３】
2015525023.tif 000005
【図４】
2015525023.tif 000006
【図５】
2015525023.tif 000007
【図６】
2015525023.tif 000008
【国際調査報告】
2015525023.tif 000009
2015525023.tif 000010
2015525023.tif 000011